(57)【要約】【課題】上扉体と前面開口部のシールが不完全な状態で運転されることのない食器洗い機を提供する。【解決手段】前面開口部９を有する洗浄槽８を内設した本体７と、前記前面開口部９の上部、下部を夫々開閉自在に覆う上扉体１０と下扉体１１と、一端が前記上扉体１０の下端に連結され前記上扉体１０を所定の軌跡で開閉移動させる第２の動作規制部１９と、前記下扉体１１を前記前面開口部９を閉成した状態に保持するロック手段２７とを備え、前記上扉体１０が所定の閉成位置に閉塞しない時、前記ロック手段２７による前記下扉体１１の前記前面開口部９への保持を不可能とするもので、上扉体１０が所定位置に閉成しない限り、下扉体１１を所定の閉成位置で前面開口部９にロックできないので、上扉体１０、下扉体１１が不完全に閉まった状態で運転されることがない。【選択図】図２
2006110130.tif 000002
【特許請求の範囲】
【請求項１】
前面開口部を有する洗浄槽を内設した本体と、前記前面開口部の上部、下部を夫々開閉自在に覆う上扉体と下扉体と、一端が前記上扉体の下端に連結され前記上扉体を所定の軌跡で開閉移動させる動作規制部と、前記下扉体を前記前面開口部を閉成した状態に保持するロック手段とを備え、前記上扉体が所定の閉成位置に閉塞しない時、前記ロック手段による前記下扉体の前記前面開口部への保持を不可能とする不完全閉成防止手段を設けた食器洗い機。
【請求項２】
不完全閉成防止手段を、洗浄槽の前面枠部に設けた凹部と、動作規制部に設けられ上扉体が所定の閉成位置に閉成した時に前記凹部に嵌合する突起部とで構成し、前記上扉体が前記所定の閉成位置に閉塞しない時、前記突起部が前記前面枠部と当接し、かつ下扉体が前記突起部に当接するようにした請求項１に記載の食器洗い機。
【請求項３】
不完全閉成防止手段を、動作規制部に設けた第１の突起部と、下扉体に設けた第２の突起部とで構成し、上扉体が所定の閉成位置に閉塞しない時、前記第１の突起部と前記第２の突起部が当接するようにした請求項１に記載の食器洗い機。
【発明の詳細な説明】
【技術分野】
【０００１】
本発明は、食器等を洗浄する食器洗い機に関するもので、特に扉開閉機構に関するものである。
【背景技術】
【０００２】
従来のこの種の食器洗い機は、図６に示すように構成されていた（例えば、特許文献１参照）。
【０００３】
以下、その構成について説明する。食器洗い機は、食器等の被洗浄物を洗浄槽１に収納し、洗浄槽１に設けた前面開口部１ａを、上扉体２と下扉体３により閉塞してから、洗浄ポンプ（図示せず）を運転し、洗浄水を噴射することにより、被洗浄物の洗浄およびすすぎ工程を行うようになっていた。下扉体３は、前面開口部１ａに対して閉成状態を保持するロック手段３ａと、使用者が下扉体３の開閉操作を行う時に握る取っ手部３ｂを有し、回転支点４を回転中心にして、前面開口部１ａの前下方に回転開閉する構成となっていた。一方、上扉体２は、回転支点５で回転自在に支持され、本体の上方空間に開成することで、上扉体２の開閉に必要な高さを小さく抑え、高さの小さい場所にでも、設置できるようにすると同時に、開成状態における上扉体２の前面開口部１ａより前方への突出長さをできるだけ小さくし、被洗浄物の出し入れ等に支障がないよう構成していた。さらに、連動部６により下扉体３と上扉体２の動作を連動させることで、使用者は、取っ手部３ｂを持って、下扉体３を開閉させるだけで、上扉体２の開閉も同時にでき、使い勝手のよい食器洗い機を実現していた。
【特許文献１】特開２００２−２７２６６０号公報
【発明の開示】
【発明が解決しようとする課題】
【０００４】
しかしながら、上記従来の食器洗い機の扉体の開閉構成では、上扉体の開閉動作が連動部を介して行われるため、閉成位置が不安定になり、前面開口部と上扉体のシールが不完全な状態のままで運転されるという課題を有していた。
【０００５】
本発明は、上記従来の課題を解決するもので、上扉体の不完全閉成位置での扉体閉塞を防止して、上扉体と前面開口部のシールが不完全な状態で運転されることのない食器洗い機を提供することを目的とする。
【課題を解決するための手段】
【０００６】
前記従来の課題を解決するために、本発明の食器洗い機は、前面開口部を有する洗浄槽を内設した本体と、前記前面開口部の上部、下部を夫々開閉自在に覆う上扉体と下扉体と、一端が前記上扉体の下端に連結され前記上扉体を所定の軌跡で開閉移動させる動作規制部と、前記下扉体を前記前面開口部を閉成した状態に保持するロック手段とを備え、前記上扉体が所定の閉成位置に閉塞しない時、前記ロック手段による前記下扉体の前記前面開口部への保持を不可能とする不完全閉成防止手段を設けたもので、上扉体が所定位置に閉成しない限り、下扉体が所定の閉成位置で前面開口部にロックできないので、上扉体、下扉体が不完全に閉まった状態で使用されることがない。
【発明の効果】
【０００７】
本発明の食器洗い機は、上扉体の不完全閉成位置での扉体閉塞を防止することができるので、上扉体と前面開口部のシールが不完全な状態での運転を防止することができる。
【発明を実施するための最良の形態】
【０００８】
第１の発明は、前面開口部を有する洗浄槽を内設した本体と、前記前面開口部の上部、下部を夫々開閉自在に覆う上扉体と下扉体と、一端が前記上扉体の下端に連結され前記上扉体を所定の軌跡で開閉移動させる動作規制部と、前記下扉体を前記前面開口部を閉成した状態に保持するロック手段とを備え、前記上扉体が所定の閉成位置に閉塞しない時、前記ロック手段による前記下扉体の前記前面開口部への保持を不可能とする不完全閉成防止手段を設けたもので、上扉体が所定位置に閉成しない限り、下扉体が所定の閉成位置で前面開口部にロックできないので、上扉体、下扉体が不完全に閉まった状態で使用される事が無い。
【０００９】
第２の発明は、特に、第１の発明の不完全閉成防止手段を、洗浄槽の前面枠部に設けた凹部と、動作規制部に設けられ上扉体が所定の閉成位置に閉成した時に前記凹部に嵌合する突起部とで構成し、前記上扉体が前記所定の閉成位置に閉塞しない時、前記突起部が前記前面枠部と当接し、かつ下扉体が前記突起部に当接するようにしたもので、上扉体が所定位置に閉成しない時、下扉体が突起部と当接し所定閉成位置まで閉塞することが不可能なので、前面開口部にロック手段で下扉体を保持することができないため、上扉体の不正規閉成位置で上・下扉体が閉塞されるのを防止することができる。
【００１０】
第３の発明は、特に、第１の発明の不完全閉成防止手段を、動作規制部に設けた第１の突起部と、下扉体に設けた第２の突起部とで構成し、上扉体が所定の閉成位置に閉塞しない時、前記第１の突起部と前記第２の突起部が当接するようにしたもので、上扉体が所定位置に閉成しない時、第１の突起部と第２の突起部が当接することで、下扉体が所定閉成位置まで閉塞することが不可能となり、その結果、前面開口部にロック手段で保持することができないため、上扉体の不正規閉成位置での扉体閉塞を防止することができる。
【００１１】
以下、本発明の実施の形態について図面を参照しながら説明する。なお、この実施の形態によって、本発明が限定されるものではない。
【００１２】
（実施の形態１）
図１は、本発明の第１の実施の形態における食器洗い機の側壁部断面図、図２は、同食器洗い機の斜視図、図３は、同食器洗い機の不完全閉成防止手段の動作説明図である。
【００１３】
図において、食器洗い機の本体７は、内部に洗浄槽８が設けられており、この洗浄槽８の前面開口部９の上部、下部の夫々を上扉体１０と下扉体１１により開閉するよう構成している。洗浄槽８の内部には、食器などの被洗浄物（図示せず）をセットする食器かご（図示せず）が収納されている。
【００１４】
上扉体１０をスライド自在に支持するスライド支持部１２は、一端が洗浄槽８の側壁上部に第１の回転支点１３で回転自在に支持され、他端が上扉体１０に設けたスライド溝部１４に２点のスライド係合部１５によりスライド自在に支持されている。スライド溝部１４の溝幅は、上扉体１０の閉成状態でスライド係合部１５が係合する近傍だけ他の範囲より狭くなっており、上扉体１０の閉成状態でのスライド溝部１４とスライド係合部１５の隙間は、加工誤差、組立て誤差を考慮した時に両部品が突っ張って、開閉動作がロックすることのない必要最小限の設定となっている。スライド溝部１４の他の範囲は、スライド係合部１５の摺動に影響がでないよう十分な幅が確保されている。またスライド係合部１５には回転自在なローラー部１６が設けられており、スライド係合部１５のスライド溝部１４内の摺動をスムーズにしている。
【００１５】
また、上扉体１０を一意的な所定軌跡で開閉移動させるための動作規制手段として、互いの一端同士を第１の連結点１７で回転自在に連結した第１の動作規制部１８と第２の動作規制部１９（動作規制部）が設けられており、第１の動作規制部１８の他端は、洗浄槽８の側壁に第２の回転支点２０で回転自在に支持され、第２の動作規制部１９の他端は上扉体１０の下端に設けた固定点２１に固定されている。第１の動作規制部１８、第２の動作規制部１９が本体７の前面の側部から外部に出入りする部分には、動作規制部収納口２２が設けられている。また、第１の動作規制部１８は、上扉体１０の開成状態で、下方向に凸となるＶ字形状となっており、同じく上扉体１０の開成状態で動作規制収納口２２と当接する第１のリブ２３が設けられている。
【００１６】
下扉体１１は、洗浄槽８の前面開口部９下端部近傍で第３の回転支点２４により回転自在に支持された下支持部２５に固定されており、前面開口部９の前下方にその内面が上向き水平となる位置まで開放する。下扉体１１には押しボタンスイッチ２６と、洗浄槽８側壁に設けた係止部２８に係止して、下扉体１１を前面開口部９を閉成した状態で固定するロック手段２７を設け、押しボタンスイッチ２６と連動して、係止部２８からロック手段２７を解除できるようにしている。上扉体１０および下扉体１１と前面開口部９のシール、および上扉体１０、下扉体１１間のシールを行うために、前面開口部９と上扉体１０には弾性体で形成されたシール部材２９が設けられている。
【００１７】
また、連動部３０の一端を、第１の動作規制部１８と第２の連結点３１で回転自在に連結し、他端を下支持部２５と第３の連結点３２で回転自在に連結することで、上扉体１０と下扉体１１が連動して開閉する構成となっている。さらに連動部３０に設けた第１の保持部３３と洗浄槽８側壁に設けた第２の保持部３４を第１のスプリング３５ （引張りコイルバネ）で連結し、上・下扉体１０、１１が開放する方向に弾性的に付勢するよう構成している。なお、連動部３０の本体７の外部に露出する部分には、保護部材３６が設けられている。
【００１８】
洗浄槽８の側壁には、連動部３０と当接して下扉体１１の開成状態を維持するストッパー部３７と、上扉体１０の閉成時に、第１の当接部３８でスライド支持部１２と当接し、第２の当接部３９で第１の動作規制部１８と当接し、洗浄槽８側壁に支軸４０で回転支持された規制部材４１と、規制部材４１の回転動作を規制する回転規制部４２が設けられている。
【００１９】
洗浄槽８の前面枠部４３には、凹部４４が設けられており、第２の動作規制部１９には突起部４５が設けられており、上扉体１０が所定閉成位置に位置する時には、図３（ａ）に示すように、突起部４５が凹部４４に嵌合するように構成されている。
【００２０】
以上のように構成された食器洗い機についてその作用を説明する。
【００２１】
押しボタンスイッチ２６を押すことで、ロック手段２７が解除され、第１のスプリング３５により、上・下扉体１０、１１が開放側へ付勢された連動部３０により、上扉体１０と下扉体１１は連動して閉成状態から連動部３０がストッパー部３７と当接する開成状態まで自動的に開放させることができる。
【００２２】
上・下扉体１０、１１の開放動作の詳細は以下の通りである。
【００２３】
下扉体１１の開放動作は、洗浄槽８の下端を中心に前下方に回転し、その内面が上向き水平となる位置まで回転する。上扉体１０は、一端側が洗浄槽８側壁に回転支持され、他端側で上扉体１０のスライド溝部１４をスライド支持しているスライド支持部１２により、回転とスライドが組み合わさった軌跡で移動する。これにより、図６の従来のように単純に支持部材により回転支持されている場合と比べて、移動軌跡の自由度が高くなっている。ただし、このスライド支持部１２だけでは、上扉体１０の回動軌跡は一意的に決まらず、自在に動作してしまい、本体７の上面等に衝突するなどの恐れがある。
【００２４】
そこで第１の動作規制部１８と第２の動作規制部１９により上扉体１０の移動軌跡を一意的に規制している。これによって、上扉体１０を本体７の外殻形状に沿うように本体７の上方に移動させることが可能となり、上扉体１０の開閉に必要な設置高さを従来より低く抑えた設置性のよい食器洗い機を実現できる。また、完全に開成した状態で、上扉体１０の前面開口部９より前方に出た突出長さも小さくできるため、洗浄槽８内が見やすく、食器等の出し入れにも邪魔にならない使い勝手のよい食器洗い機を実現できる。
【００２５】
上・下扉体１０、１１の開成状態においては、動作規制部収納口２２が、第１の動作規制部１８に設けられた第１のリブ２３と当接することで、上扉体１０が本体７上面でぐらつくことがなく、製品の品位を損ねる事がない。上・下扉体１０、１１の開放後、下扉体１１に食器かごを引出し、被洗浄物をセットする。食器かごを下扉体１１内面上に引出す構成をとっているので、被洗浄物から垂れた汁、水滴が機外へ流出するのを防止することができる。
【００２６】
続いて、食器かごを洗浄槽８内に収納し、下扉体１１を閉塞する。上扉体１０と下扉体１１は連動部３０により連動して開閉する構成となっているので、上扉体１０も同時に閉塞される。スライド溝部１４とスライド係合部１５の隙間は、閉成時だけ狭く設定されているため、閉成時には上扉体１０とスライド支持部１２のガタツキを最小限に抑え、開閉途中にはスライド溝部１４とスライド係合部１５がスムーズに摺動する安定した扉体開閉動作を実現している。スライド係合部１５にローラー部１６を設けることで、スライド溝部１４とスライド係合部１５の摺動抵抗はさらに低減でき、より安定した扉体開閉動作を実現できる。
【００２７】
上扉体１０が所定閉成位置で閉成している時は、図３（ａ）に示すように、第２の動作規制部１９に設けた突起部４５が、前面枠部４３に設けた凹部４４に嵌合し、上扉体１０の閉塞が可能となっている。一方上扉体１０が、所定閉成位置に閉成していない時は、図３（ｂ）に示すように、突起部４５が前面枠部４３に当接するため所定位置より前方に位置する。その結果、突起部４５が下扉体１１の内面と当接し、ロック手段２７を係止部２８にロックすることできなくなるため、下扉体１１の閉塞が不可能となる。その結果、前面開口部９と上扉体１０のシールが不完全な状態での運転を防止することができる。
【００２８】
（実施の形態２）
図４は、本発明の第２の実施の形態における食器洗い機の斜視図、図５は、同食器洗い機の不完全閉成防止手段の動作説明図を示す。なお、上記第１の実施の形態と同一部分については、同一符号を付してその説明を省略する。
【００２９】
本実施の形態は、第２の動作規制部１９に第１の突起部４６を設け、上扉体１０が所定の閉成位置に閉塞しなかった時に、第１の突起部４６と当接する第２の突起部４７を下扉体１１に設けたもので、他の構成は上記第１の実施の形態と同様であり、詳細な説明は省略する。
【００３０】
第１の突起部４６は、第１の凹部４８を有しており、上扉体１０が所定の閉成位置に閉成している時は、図５（ａ）に示すように第２の突起部４７が凹部４８に嵌合し、下扉体１１を所定位置まで閉塞することができるため、ロック手段２７を係止部２８にロックすることができる。一方上扉体１０が所定の閉成位置に閉成していない時は、図５（ｂ）に示すように、第２の突起部４７が、凹部４８に嵌合できず第１の突起部４６と当接するため、ロック手段２７を係止部２８にロックすることできなくなり、下扉体１１の閉塞が不可能となる。その結果、前面開口部９と上扉体１０のシールが不完全な状態での運転を防止することができる。なお、上述した上・下扉体１０、１１の開閉リンク機構は、洗浄槽８、及び上・下扉体１０、１１の左右両側に設けられている。
【産業上の利用可能性】
【００３１】
以上のように、本発明にかかる食器洗い機は、上扉体の不完全閉成位置での扉体閉塞を防止することができるので、上扉体と前面開口部のシールが不完全な状態での運転を防止することができ、食器洗い機に限らず複数の扉体を使用する洗濯機、洗浄機など各種機器に適用できる。
【図面の簡単な説明】
【００３２】
【図１】本発明の第１の実施の形態における食器洗い機の側壁部断面図
【図２】同食器洗い機の斜視図
【図３】（ａ）同食器洗い機の上扉体正規閉成時の不完全閉成防止手段の詳細図（ｂ）同食器洗い機の上扉体不正規閉成時の不完全閉成防止手段の詳細図
【図４】本発明の第２の実施の形態における食器洗い機の斜視図
【図５】（ａ）同食器洗い機の上扉体正規閉成時の不完全閉成防止手段の詳細図（ｂ）同食器洗い機の上扉体不正規閉成時の不完全閉成防止手段の詳細図
【図６】従来の食器洗い機の側壁部の主要断面図
【符号の説明】
【００３３】
７ 本体
８ 洗浄槽
９ 前面開口部
１０ 上扉体
１１ 下扉体
１９ 第２の動作規制部（動作規制部）
２７ ロック手段
４４ 凹部（不完全閉成防止手段）
４５ 突起部（不完全閉成防止手段）
【図１】
2006110130.tif 000003
【図２】
2006110130.tif 000004
【図３】
2006110130.tif 000005
【図４】
2006110130.tif 000006
【図５】
2006110130.tif 000007
【図６】
2006110130.tif 000008